(57)【要約】【課題】光送信又は光受信の一方又は両方を行う光伝送装置において、ＢＴＳなどからの信号を効率的に光伝送する。【解決手段】例えば、第１の光伝送装置１では、伝送対象となる信号を入力する手段として周波数ｉに対応した第１の入力手段５１と周波数ｉｉに対応した第２の入力手段５２を備え、入力される信号を処理する処理回路として第１の処理回路（可変減衰部１０２、１１４、増幅部１０３、１１３等）と第２の処理回路（可変減衰部１０５、１１６、増幅部１０６、１１５等）を備える。第１の検出手段１０１、１１７、１１８が第１の入力信号のレベルを検出し、第２の検出手段１０４、１１７、１１８が第２の入力信号のレベルを検出する。制御手段１１８、１１９が各検出手段により検出されたレベルが所定の閾値以下である又は所定の閾値未満である場合には各処理回路をオフにする。【選択図】  図１
2008053932.tif 000002
【特許請求の範囲】
【請求項１】
光送信又は光受信の一方又は両方を行う光伝送装置において、
伝送対象となる信号を電気信号又は光信号の形式で入力する入力手段と、
前記入力手段により入力される信号を処理する処理回路と、
前記入力手段により入力された信号のレベルを検出する検出手段と、
前記検出手段により検出されたレベルが所定の閾値以下である又は所定の閾値未満である場合には前記入力手段により入力される信号を処理する処理回路をオフにする制御手段と、
を備えたことを特徴とする光伝送装置。
【発明の詳細な説明】
【技術分野】
【０００１】
本発明は、光伝送装置に関し、ＢＴＳなどからの信号を効率的に光伝送する光伝送装置に関する。
【背景技術】
【０００２】
例えば、移動通信システムなどでは、ＢＴＳ（基地局装置）などから出力される信号（例えば、通信信号）を光伝送装置により光信号として他のＢＴＳなどへ伝送することが行われている。
昨今では、光伝送装置は様々な設置場所や環境下にあり、また、各事業者の周波数追加や再編等によりＢＴＳの追加設置も増えている。
例えば、現在、異なる２つ以上の周波数の信号を伝送することが可能な光伝送装置において、ＢＴＳを違う場所に設置するケースが増えてきた。このため、異なる２つ以上の周波数について、各周波数帯に対応するＢＴＳが異なる場所に設置されていても１つのシステムで伝送することが可能な光伝送装置の必要性が出てきている。
また、従来では、ＢＴＳとの直結が可能であるとともに光伝送が可能な光伝送装置が存在しなかったため、異なる周波数（若しくは事業者）のＢＴＳ設置場所が異なるような場合には、各ＢＴＳに対して光伝送装置を設置する必要があった。
【０００３】
【特許文献１】特開平１１−１１２４３８号公報
【発明の開示】
【発明が解決しようとする課題】
【０００４】
上述のように、従来の光伝送装置では、未だに開発する余地があり、更なる改良が要求されていた。
本発明は、このような従来の事情に鑑み為されたもので、ＢＴＳなどからの信号を効率的に光伝送することができる光伝送装置を提供することを目的とする。
【課題を解決するための手段】
【０００５】
上記目的を達成するため、本発明に係る光伝送装置では、光送信又は光受信の一方又は両方を行うに際して、次のような処理を行う。
すなわち、入力手段が伝送対象となる信号を電気信号又は光信号の形式で入力し、処理回路が前記入力手段により入力される信号を処理する。この場合に、検出手段が前記入力手段により入力された信号のレベルを検出し、そして、制御手段が、前記検出手段により検出されたレベルが所定の閾値以下である（又は、所定の閾値未満である）場合には、前記入力手段により入力される信号を処理する処理回路をオフにする。
【０００６】
従って、入力される伝送対象となる信号のレベルが所定の閾値に基づいて低い場合には、当該信号が非入力である（つまり、入力されていない）とみなして、当該信号を処理する処理回路がオフにされるため、例えば、余計な雑音を減らして装置の性能向上を図ることができるとともに低消費電力化を実現することができ、これにより、ＢＴＳなどからの信号を効率的に光伝送することができる。
【０００７】
ここで、光伝送装置では、光送信と光受信のうちで、例えば、光送信のみが行われてもよく、或いは、光受信のみが行われてもよく、或いは、光送信と光受信の両方が行われてもよい。
また、伝送対象となる信号を入力するときの信号の形式としては、種々な形式が用いられてもよく、例えば、電気信号の形式が用いられてもよく、或いは、光信号の形式が用いられてもよい。一例として、ＢＴＳなどの装置から出力される電気信号を入力する態様や、或いは、他の光伝送装置から出力される光信号を入力する態様などを用いることができる。
また、処理回路としては、種々なものが用いられてもよく、例えば、光伝送（光送信や光受信）を行うための回路が用いられ、具体的には、減衰器や、増幅器や、Ｅ／Ｏ器（電気信号から光信号への変換器）や、Ｏ／Ｅ器（光信号から電気信号への変換器）などの１つ以上が用いられる。
【０００８】
また、信号のレベルとしては、種々なものが用いられてもよく、例えば、電圧のレベルなどを用いることができる。
また、入力される信号のレベルに関する閾値としては、種々な値が用いられてもよく、例えば、該当する入力端に何も接続されていない状態或いは該当する入力端に装置又は回線が接続されているがその装置又は回線から信号が入力されていない状態と、該当する入力端に装置又は回線が接続されていてその装置又は回線から信号が入力されている状態とを識別することが可能な値が用いられる。なお、回線としては、例えば有線回線が用いられるが、無線回線が用いられてもよい。
また、処理回路をオフにする態様としては、例えば、処理回路へ供給される電源をオフにする態様が用いられ、或いは、処理回路へ供給される電源を通常の動作時と比べて低下させるような態様を用いることも可能である。また、処理回路が複数の回路素子から構成されているような場合には、例えば、一部の回路素子のみオフにするような態様を用いることも可能である。
【０００９】
また、例えば、入力手段と処理回路との組み合わせが複数備えられてもよく、一例として、異なる周波数の信号毎に、異なる入力手段及び処理回路の組み合わせを備えることができる。このように複数の入力手段及び処理回路の組み合わせが用いられる場合には、信号の入力が無いとみなされる入力手段に対応した処理回路をオフにする。
また、例えば、複数の処理回路が備えられて、或る処理回路の一部が他の処理回路で共用されている場合には、当該一部については、当該一部を共用している全ての処理回路をオフにしてよいときに当該一部をオフにする。
【００１０】
また、双方向の光伝送を行う場合に、一方の方向の信号が無いときには他方の方向の信号も無いとみなすことができるような場合には、例えば、一方の方向の信号が無いことを検出したことに応じて、当該一方の方向の信号を処理する処理回路をオフにするとともに、対応する他方の方向の信号を処理する処理回路をオフにするような態様を用いることも可能である。他の構成例として、双方向の光伝送を行う場合に、一方の方向の信号の有無と対応する他方の方向の信号の有無の両方をそれぞれ検出して、それぞれの検出結果に応じてそれぞれの処理回路のオンオフを制御するような態様を用いることも可能である。
【発明の効果】
【００１１】
以上説明したように、本発明に係る光伝送装置によると、伝送対象となる信号が入力されていないとみなされるときには、その信号を処理するための処理回路をオフにするようにしたため、例えば、余計な雑音を減らして装置の性能向上を図ることができるとともに低消費電力化を実現することができ、これにより、ＢＴＳなどからの信号を効率的に光伝送することができる。
【発明を実施するための最良の形態】
【００１２】
本発明に係る実施例を図面を参照して説明する。
図１には、本発明の一実施例に係る光伝送システムの全体的な構成例を示してある。
本例の光伝送システムには、３つの光伝送装置（第１の光伝送装置１、第２の光伝送装置２、第３の光伝送装置３）と、４つのＢＴＳ（ＢＴＳ１１、ＢＴＳ１２、ＢＴＳ２１、ＢＴＳ２２）と、第１の光伝送装置１と第２の光伝送装置２とを接続する２つの光ファイバ３１、３２と、第２の光伝送装置２と第３の光伝送装置３とを接続する２つの光ファイバ４１、４２が設けられている。
【００１３】
また、ＢＴＳ１１とＢＴＳ１２は、それぞれ、例えば有線ケーブルなどを用いて、第１の光伝送装置１と双方向で通信することが可能に接続（例えば、直結）される。
また、ＢＴＳ２１とＢＴＳ２２は、それぞれ、例えば有線ケーブルなどを用いて、第２の光伝送装置２と双方向で通信することが可能に接続（例えば、直結）される。
また、ＢＴＳ１１とＢＴＳ２１は周波数ｉの信号を入出力し、ＢＴＳ１２とＢＴＳ２２は周波数ｉｉの信号を入出力する。なお、周波数ｉと周波数ｉｉとは異なっている。
本例では、各光伝送装置１〜３は、周波数ｉの信号及び周波数ｉｉの信号を伝送することが可能な機能を有している。
また、本例では、ＢＴＳ１１、１２、２１、２２から出力される信号を伝送する方向を下りと言い、ＢＴＳ１１、１２、２１、２２へ入力される信号を伝送する方向を上りと言う。
【００１４】
ここで、本例では、周波数ｉに対応するＢＴＳ１１とＢＴＳ２１としては、例えば、同一の装置であり第１の光伝送装置１と第２の光伝送装置２との一方のみに接続される又はこれらの両方に接続されないような使用状況がある。
同様に、本例では、周波数ｉｉに対応するＢＴＳ１２とＢＴＳ２２としては、例えば、同一の装置であり第１の光伝送装置１と第２の光伝送装置２との一方のみに接続される又はこれらの両方に接続されないような使用状況がある。
なお、本実施例は一例であり、他の種々な形態が実施されてもよい。また、本例では、説明の便宜上から、２つの異なる周波数ｉ、ｉｉの信号を処理する構成例を示すが、例えば、３つ以上の異なる周波数の信号を処理する構成に適用することも可能である。
【００１５】
図２には、第１の光伝送装置１の構成例を示してある。
第１の光伝送装置１は、周波数ｉの下り信号を処理するための検波部１０１と可変減衰部１０２と増幅部１０３と、周波数ｉｉの下り信号を処理するための検波部１０４と可変減衰部１０５と増幅部１０６と、周波数ｉ及び周波数ｉｉの下り信号を処理するための可変減衰部１０７と増幅部１０８とＥＯ（電気／光変換）部１０９と、周波数ｉ及び周波数ｉｉの上り信号を処理するためのＯＥ（光／電気変換）部１１０と可変減衰部１１１と増幅部１１２と、周波数ｉの上り信号を処理するための増幅部１１３と可変減衰部１１４と、周波数ｉｉの上り信号を処理するための増幅部１１５と可変減衰部１１６と、制御を行うためのＡ／Ｄ（Ａｎａｌｏｇ  ｔｏ  Ｄｉｇｉｔａｌ）変換部１１７とＣＰＵ（Ｃｅｎｔｒａｌ  Ｐｒｏｃｅｓｓｉｎｇ  Ｕｎｉｔ）部１１８とＤ／Ａ（Ｄｉｇｉｔａｌ  ｔｏ  Ａｎａｌｏｇ）変換部１１９を備えている。
【００１６】
図３には、第２の光伝送装置２の構成例を示してある。
第２の光伝送装置２は、周波数ｉの下り信号を処理するための検波部２０１と可変減衰部２０２と増幅部２０３と、周波数ｉｉの下り信号を処理するための検波部２０４と可変減衰部２０５と増幅部２０６と、周波数ｉ及び周波数ｉｉの下り信号を処理するための可変減衰部２０７と増幅部２０８と、周波数ｉ及び周波数ｉｉの下り信号を処理するためのＯＥ部２０９と可変減衰部２１０と増幅部２１１と可変減衰部２１２と増幅部２１３とＥＯ部２１４と、周波数ｉ及び周波数ｉｉの上り信号を処理するためのＯＥ部２１５と可変減衰部２１６と増幅部２１７と可変減衰部２１８と増幅部２１９とＥＯ部２２０と、周波数ｉ及び周波数ｉｉの上り信号を処理するための増幅部２２１と可変減衰部２２２と、周波数ｉの上り信号を処理するための増幅部２２３と可変減衰部２２４と、周波数ｉｉの上り信号を処理するための増幅部２２５と可変減衰部２２６と、制御を行うためのＡ／Ｄ変換部２２７とＣＰＵ部２２８とＤ／Ａ変換部２２９を備えている。
【００１７】
図４には、第３の光伝送装置３の構成例を示してある。
第３の光伝送装置３は、周波数ｉ及び周波数ｉｉの下り信号を処理するためのＯＥ部３０１と可変減衰部３０２と増幅部３０３と、周波数ｉの下り信号を処理するための可変減衰部３０４と増幅部３０５と、周波数ｉｉの下り信号を処理するための可変減衰部３０６と増幅部３０７と、周波数ｉの上り信号を処理するための可変減衰部３０８と増幅部３０９と、周波数ｉｉの上り信号を処理するための可変減衰部３１０と増幅部３１１と、周波数ｉ及び周波数ｉｉの上り信号を処理するための可変減衰部３１２と増幅部３１３とＥＯ部３１４と、制御を行うためのＡ／Ｄ変換部３１５とＣＰＵ部３１６とＤ／Ａ変換部３１７を備えている。
【００１８】
なお、図示の都合上から、図２では符号Ａ、ａ〜ｅを用いて信号線の接続関係を示してあり、図３では符号Ｂ、Ｃ、ｆ〜ｓを用いて信号線の接続関係を示してあり、図４では符号ｔ〜ｗを用いて信号線の接続関係を示してあり、それぞれ同一の符号で示されたところ同士が接続されている。
また、各光伝送装置１〜３において、検波部は例えば方向性結合器を用いて構成されており、可変減衰部は可変減衰器を用いて構成されており、増幅部は増幅器を用いて構成されており、ＥＯ部はＥ／Ｏ変換器を用いて構成されており、ＯＥ部はＯ／Ｅ変換器を用いて構成されており、Ａ／Ｄ変換部はＡ／Ｄ変換器を用いて構成されており、Ｄ／Ａ変換部はＤ／Ａ変換器を用いて構成されており、ＣＰＵ部はＣＰＵを用いて構成されている。
【００１９】
本例の光伝送システムにおいて行われる全体的な動作の一例を示す。
第１の光伝送装置１では、次のような動作が行われる。
周波数ｉに対応するＢＴＳ１１から出力された周波数ｉの下り電気信号が第１の入力端５１を介して入力される。検波部１０１が入力された下り電気信号を検波してその検波結果をＡ／Ｄ変換部１１７へ出力し、可変減衰部１０２がこの入力された下り電気信号を減衰してこの下り電気信号のバラツキを吸収し、その結果の下り電気信号を増幅部１０３が増幅する。
同様に、周波数ｉｉに対応するＢＴＳ１２から出力された周波数ｉｉの下り電気信号が第２の入力端５２を介して入力される。検波部１０４が入力された下り電気信号を検波してその検波結果をＡ／Ｄ変換部１１７へ出力し、可変減衰部１０５がこの入力された下り電気信号を減衰してこの下り電気信号のバラツキを吸収し、その結果の下り電気信号を増幅部１０６が増幅する。
これら２つの増幅部１０３、１０６からの出力（周波数ｉの下り電気信号及び周波数ｉｉの下り電気信号）が合成され、可変減衰部１０７がこの合成信号を減衰して下りの増幅部やＥＯ部や温度等のバラツキを吸収し、その結果の下り電気信号を増幅部１０８が増幅（周波数ｉ及び周波数ｉｉの共通増幅）し、当該増幅後の下り電気信号をＥＯ部１０９が光信号へ変換して光ファイバ３１へ出力する。この下り光信号は光ファイバ３１を介して第２の光伝送装置２へ伝送される。
【００２０】
第２の光伝送装置２から出力された上り光信号が光ファイバ３２を介してＯＥ部１１０に入力される。ＯＥ部１１０が入力された上り光信号を電気信号へ変換し、可変減衰部１１１が当該変換された上り電気信号を減衰して上りの増幅部やＯＥ部や温度等のバラツキを吸収し、その結果の上り電気信号を増幅部１１２が増幅（周波数ｉ及び周波数ｉｉの共通増幅）する。
増幅部１１２から出力された上り電気信号は２つ（例えば、周波数ｉの信号成分と周波数ｉｉの信号成分）に分岐される。増幅部１１３が周波数ｉの上り電気信号を増幅し、可変減衰部１１４が当該増幅後の上り電気信号を減衰して調整し、その結果の周波数ｉの上り電気信号が第１の出力端５３を介して周波数ｉに対応するＢＴＳ１１へ出力される。同様に、増幅部１１５が周波数ｉｉの上り電気信号を増幅し、可変減衰部１１６が当該増幅後の上り電気信号を減衰して調整し、その結果の周波数ｉｉの上り電気信号が第２の出力端５４を介して周波数ｉｉに対応するＢＴＳ１２へ出力される。
【００２１】
Ａ／Ｄ変換部１１７が、検波部１０１から分岐されて入力された周波数ｉの下り電気信号の電気レベルを検波してＡ／Ｄ変換（アナログ信号からデジタル信号へ変換）してＣＰＵ部１１８へ出力し、同様に、検波部１０４から分岐されて入力された周波数ｉｉの下り電気信号の電気レベルを検波してＡ／Ｄ変換してＣＰＵ部１１８へ出力する。
ＣＰＵ部１１８が、Ａ／Ｄ変換部１１７から入力された（読み込んだ）デジタル値（Ａ／Ｄ変換の結果）を処理し、この結果に基づいて、可変減衰部１０２、１０５、１０７、１１１、１１４、１１６及び増幅部１０３、１０６、１０８、１１２、１１３、１１５のそれぞれに対して送る制御値を決定してＤ／Ａ変換部１１９へ出力する。
Ｄ／Ａ変換部１１９がＣＰＵ部１１８から入力されたそれぞれの制御値をＤ／Ａ変換（デジタル信号からアナログ信号へ変換）してそれぞれに対応する処理部（可変減衰部１０２、１０５、１０７、１１１、１１４、１１６及び増幅部１０３、１０６、１０８、１１２、１１３、１１５のそれぞれ）の制御端子へ出力する。
ここで、本例では、各可変減衰部１０２、１０５、１０７、１１１、１１４、１１６及び各増幅部１０３、１０６、１０８、１１２、１１３、１１５では、制御端子に入力される制御値により、処理のオンオフ（例えば、電源のオンオフ）が制御される。
【００２２】
光ファイバ３１は第１の光伝送装置１から第２の光伝送装置２への下り回線の光伝送路として用いられており、光ファイバ３２は第２の光伝送装置２から第１の光伝送装置１への上り回線の光伝送路として用いられている。
なお、他の構成例として、２つの光ファイバ３１、３２を用いずに、光ＷＤＭ（Ｗａｖｅｌｅｎｇｔｈ  Ｄｉｖｉｓｉｏｎ  Ｍｕｌｔｉｐｌｅｘ）化により１本の光ファイバで伝送することも可能であり、この場合には、例えば、ＥＯ部１０９とＯＥ部１１０の光ファイバ側にＷＤＭ部を設けて多重化及び分離を行い、当該ＷＤＭ部に１本の光ファイバを接続する。
また、本例では、ＢＴＳ１１から第１の光伝送装置１に入力される周波数ｉの下り電気信号の入力電気レベルをＢＡ１とし、ＢＴＳ１２から第１の光伝送装置１に入力される周波数ｉｉの下り電気信号の入力電気レベルをＢＡ２とする。
【００２３】
第２の光伝送装置２では、次のような動作が行われる。
周波数ｉに対応するＢＴＳ２１から出力された周波数ｉの下り電気信号が第１の入力端６１を介して入力される。検波部２０１が入力された下り電気信号を検波してその検波結果をＡ／Ｄ変換部２２７へ出力し、可変減衰部２０２がこの入力された下り電気信号を減衰してこの下り電気信号のバラツキを吸収し、その結果の下り電気信号を増幅部２０３が増幅する。
同様に、周波数ｉｉに対応するＢＴＳ２２から出力された周波数ｉｉの下り電気信号が第２の入力端６２を介して入力される。検波部２０４が入力された下り電気信号を検波してその検波結果をＡ／Ｄ変換部２２７へ出力し、可変減衰部２０５がこの入力された下り電気信号を減衰してこの下り電気信号のバラツキを吸収し、その結果の下り電気信号を増幅部２０６が増幅する。
これら２つの増幅部２０３、２０６からの出力（周波数ｉの下り電気信号及び周波数ｉｉの下り電気信号）が合成され、可変減衰部２０７がこの合成信号を減衰して下りの増幅部やＥＯ部や温度等のバラツキを吸収し、その結果の下り電気信号を増幅部２０８が増幅（周波数ｉ及び周波数ｉｉの共通増幅）する。
【００２４】
第１の光伝送装置１から出力された下り光信号が光ファイバ３１を介してＯＥ部２０９に入力される。ＯＥ部２０９が入力された下り光信号を電気信号へ変換してその一部を分岐してＡ／Ｄ変換部２２７へ出力し、可変減衰部２１０が当該変換された下り電気信号を減衰して下りのＯＥ部のバラツキを吸収し、その結果の下り電気信号を増幅部２１１が増幅（周波数ｉ及び周波数ｉｉの共通増幅）する。
増幅部２１１から出力される下り電気信号と増幅部２０８から出力される下り電気信号とが合成され、可変減衰部２１２が当該合成信号を減衰して下りの増幅部やＥＯ部や温度等のバラツキを吸収し、その結果の下り電気信号を増幅部２１３が増幅（周波数ｉ及び周波数ｉｉの共通増幅）し、当該増幅後の下り電気信号をＥＯ部２１４が光信号へ変換して光ファイバ４１へ出力する。この下り光信号は光ファイバ４１を介して第３の光伝送装置３へ伝送される。
【００２５】
第３の光伝送装置３から出力された上り光信号が光ファイバ４２を介してＯＥ部２１５に入力される。ＯＥ部２１５が入力された上り光信号を電気信号へ変換し、可変減衰部２１６が当該変換された上り電気信号を減衰して上りの増幅部やＯＥ部や温度等のバラツキを吸収し、その結果の上り電気信号を増幅部２１７が増幅（周波数ｉ及び周波数ｉｉの共通増幅）する。
増幅部２１７から出力された上り電気信号は２つに分岐され、一方の分岐信号が可変減衰部２１８に入力され、他方の分岐信号が増幅部２２１に入力される。
可変減衰部２１８が入力された上り電気信号を減衰して上りの増幅部やＥＯ部等のバラツキを吸収し、その結果の上り電気信号を増幅部２１９が増幅（周波数ｉ及び周波数ｉｉの共通増幅）し、当該増幅後の上り電気信号をＥＯ部２２０が光信号へ変換して光ファイバ３２へ出力する。この上り光信号は光ファイバ３２を介して第１の光伝送装置１へ伝送される。
【００２６】
増幅部２２１が入力された上り電気信号を増幅（周波数ｉ及び周波数ｉｉの共通増幅）し、可変減衰部２２２が当該増幅後の上り電気信号を減衰して上りの増幅部等のバラツキを吸収する。
可変減衰部２２２から出力された上り電気信号は２つ（例えば、周波数ｉの信号成分と周波数ｉｉの信号成分）に分岐される。増幅部２２３が周波数ｉの上り電気信号を増幅し、可変減衰部２２４が当該増幅後の上り電気信号を減衰して調整し、その結果の周波数ｉの上り電気信号が第１の出力端６３を介して周波数ｉに対応するＢＴＳ２１へ出力される。同様に、増幅部２２５が周波数ｉｉの上り電気信号を増幅し、可変減衰部２２６が当該増幅後の上り電気信号を減衰して調整し、その結果の周波数ｉｉの上り電気信号が第２の出力端６４を介して周波数ｉｉに対応するＢＴＳ２２へ出力される。
【００２７】
Ａ／Ｄ変換部２２７が、検波部２０１から分岐されて入力された周波数ｉの下り電気信号の電気レベルを検波してＡ／Ｄ変換してＣＰＵ部２２８へ出力し、同様に、検波部２０４から分岐されて入力された周波数ｉｉの下り電気信号の電気レベルを検波してＡ／Ｄ変換してＣＰＵ部２２８へ出力し、また、ＯＥ部２０９から分岐されて入力された下り電気信号の電気レベル（下り光信号の光受光レベルに相当するもの）を検波してＡ／Ｄ変換してＣＰＵ部２２８へ出力する。
ＣＰＵ部２２８が、Ａ／Ｄ変換部２２７から入力された（読み込んだ）デジタル値（Ａ／Ｄ変換の結果）を処理し、この結果に基づいて、可変減衰部２０２、２０５、２０７、２１０、２１２、２１６、２１８、２２２、２２４、２２６及び増幅部２０３、２０６、２０８、２１１、２１３、２１７、２１９、２２１、２２３、２２５及びＥＯ部２２０のそれぞれに対して送る制御値を決定してＤ／Ａ変換部２２９へ出力する。
Ｄ／Ａ変換部２２９がＣＰＵ部２２８から入力されたそれぞれの制御値をＤ／Ａ変換してそれぞれに対応する処理部（可変減衰部２０２、２０５、２０７、２１０、２１２、２１６、２１８、２２２、２２４、２２６及び増幅部２０３、２０６、２０８、２１１、２１３、２１７、２１９、２２１、２２３、２２５及びＥＯ部２２０のそれぞれ）の制御端子へ出力する。
ここで、本例では、各可変減衰部２０２、２０５、２０７、２１０、２１２、２１６、２１８、２２２、２２４、２２６及び各増幅部２０３、２０６、２０８、２１１、２１３、２１７、２１９、２２１、２２３、２２５及びＥＯ部２２０では、制御端子に入力される制御値により、処理のオンオフ（例えば、電源のオンオフ）が制御される。
【００２８】
光ファイバ４１は第２の光伝送装置２から第３の光伝送装置３への下り回線の光伝送路として用いられており、光ファイバ４２は第３の光伝送装置３から第２の光伝送装置２への上り回線の光伝送路として用いられている。
なお、他の構成例として、２つの光ファイバ４１、４２を用いずに、光ＷＤＭ化により１本の光ファイバで伝送することも可能であり、この場合には、例えば、ＥＯ部２１４とＯＥ部２１５の光ファイバ側にＷＤＭ部を設けて多重化及び分離を行い、当該ＷＤＭ部に１本の光ファイバを接続する。
また、本例では、ＢＴＳ２１から第２の光伝送装置２に入力される周波数ｉの下り電気信号の入力電気レベルをＢＢ１とし、ＢＴＳ２２から第２の光伝送装置２に入力される周波数ｉｉの下り電気信号の入力電気レベルをＢＢ２とし、第１の光伝送装置１から光ファイバ３１を介して第２の光伝送装置２のＯＥ部２０９に入力される下り光信号の光入力レベル（光受光レベル）をＯＰＤ２とする。
【００２９】
第３の光伝送装置３では、次のような動作が行われる。
第２の光伝送装置２から出力された下り光信号が光ファイバ４１を介してＯＥ部３０１に入力される。ＯＥ部３０１が入力された下り光信号を電気信号へ変換してその一部を分岐してＡ／Ｄ変換部３１５へ出力し、可変減衰部３０２が当該変換された下り電気信号を減衰して下りの増幅部やＯＥ部や温度等のバラツキを吸収し、その結果の下り電気信号を増幅部３０３が増幅（周波数ｉ及び周波数ｉｉの共通増幅）する。
増幅部３０３から出力された下り電気信号は２つ（例えば、周波数ｉの信号成分と周波数ｉｉの信号成分）に分岐される。可変減衰部３０４が周波数ｉの下り電気信号を減衰して下りの周波数ｉの経路における増幅部等のバラツキを吸収し、その結果の下り電気信号を増幅部３０５が増幅して第１の出力端７１から出力する。同様に、可変減衰部３０６が周波数ｉｉの下り電気信号を減衰して下りの周波数ｉｉの経路における増幅部等のバラツキを吸収し、その結果の下り電気信号を増幅部３０７が増幅して第２の出力端７２から出力する。
【００３０】
周波数ｉの上り電気信号が第１の入力端７３から入力され、可変減衰部３０８が入力された周波数ｉの上り電気信号を減衰して上りの周波数ｉの経路における増幅部等のバラツキを吸収し、その結果の上り電気信号を増幅部３０９が増幅する。
同様に、周波数ｉｉの上り電気信号が第２の入力端７４から入力され、可変減衰部３１０が入力された周波数ｉｉの上り電気信号を減衰して上りの周波数ｉｉの経路における増幅部等のバラツキを吸収し、その結果の上り電気信号を増幅部３１１が増幅する。
【００３１】
これら２つの増幅部３０９、３１１からの出力（周波数ｉの上り電気信号及び周波数ｉｉの上り電気信号）が合成され、可変減衰部３１２がこの合成信号を減衰して上りの増幅部やＥＯ部や温度等のバラツキを吸収し、その結果の上り電気信号を増幅部３１３が増幅（周波数ｉ及び周波数ｉｉの共通増幅）し、当該増幅後の上り電気信号をＥＯ部３１４が光信号へ変換して光ファイバ４２へ出力する。この上り光信号は光ファイバ４２を介して第２の光伝送装置２へ伝送される。
【００３２】
Ａ／Ｄ変換部３１５が、ＯＥ部３０１から分岐されて入力された下り電気信号の電気レベル（例えば、受光レベルに対応するもの）を検波してＡ／Ｄ変換してＣＰＵ部３１６へ出力する。なお、本例では、所定のＢＴＳ接続情報に対応した情報を検波する。
ＣＰＵ部３１６が、Ａ／Ｄ変換部３１５から入力された（読み込んだ）デジタル値（Ａ／Ｄ変換の結果）を処理し、この結果に基づいて、可変減衰部３０２、３０４、３０６、３０８、３１０、３１２及び増幅部３０３、３０５、３０７、３０９、３１１、３１３のそれぞれに対して送る制御値を決定してＤ／Ａ変換部３１７へ出力する。
Ｄ／Ａ変換部３１７がＣＰＵ部３１６から入力されたそれぞれの制御値をＤ／Ａ変換してそれぞれに対応する処理部（可変減衰部３０２、３０４、３０６、３０８、３１０、３１２及び増幅部３０３、３０５、３０７、３０９、３１１、３１３のそれぞれ）の制御端子へ出力する。
ここで、本例では、各可変減衰部３０２、３０４、３０６、３０８、３１０、３１２及び各増幅部３０３、３０５、３０７、３０９、３１１、３１３では、制御端子に入力される制御値により、処理のオンオフ（例えば、電源のオンオフ）が制御される。
【００３３】
なお、他の構成例として、２つの光ファイバ４１、４２を用いずに、光ＷＤＭ化により１本の光ファイバで伝送することも可能であり、この場合には、例えば、ＯＥ部３０１とＥＯ部３１４の光ファイバ側にＷＤＭ部を設けて多重化及び分離を行い、当該ＷＤＭ部に１本の光ファイバを接続する。
【００３４】
次に、各光伝送装置１、２、３において使用していない処理部を自動でオフにする動作について説明する。
第１の光伝送装置１では、次のような動作が行われる。
第１の光伝送装置１では、ＢＴＳ１１からの入力電気レベルＢＡ１及びＢＴＳ１２からの入力電気レベルＢＡ２が、検波部１０１及び検波部１０４による分岐の後に電圧へ変換されてＡ／Ｄ変換部１１７に入力され、これらの入力電気レベルＢＡ１、ＢＡ２の情報がＣＰＵ部１１８に送られる。
ここで、例えば、入力電気レベルＢＡ１に対する入力電気レベル情報をＩＮＡ１とし、入力電気レベルＢＡ２に対する入力電気レベル情報をＩＮＡ２とする。
【００３５】
また、本例では、ＣＰＵ部１１８には、入力電気レベルＢＡ１に対する閾値ＴＨＡ１と、入力電気レベルＢＡ２に対する閾値ＴＨＡ２が設定されてメモリに記憶されている。
ＣＰＵ部１１８では、次の（ア）、（イ）、（ウ）、（エ）の判定を行い、当該判定結果に基づく制御値をＤ／Ａ変換部１１９へ出力する。
（ア）ＩＮＡ１≧ＴＨＡ１である場合には、ＢＴＳ１１からの入力電気レベル信号が有ると判定する。
（イ）ＩＮＡ１＜ＴＨＡ１である場合には、ＢＴＳ１１からの入力電気レベル信号が無いと判定する。
（ウ）ＩＮＡ２≧ＴＨＡ２である場合には、ＢＴＳ１２からの入力電気レベル信号が有ると判定する。
（エ）ＩＮＡ２＜ＴＨＡ２である場合には、ＢＴＳ１２からの入力電気レベル信号が無いと判定する。
【００３６】
本例では、ＣＰＵ部１１８は、上記した（イ）の状態を判定した場合には、ＢＴＳ１１からの周波数ｉの入力信号が無いとみなして、周波数ｉに係わる部分である可変減衰部１０２と増幅部１０３と増幅部１１３と可変減衰部１１４をオフにする制御値の信号をＤ／Ａ変換部１１９を介してこれらそれぞれの処理部へ送る。
同様に、ＣＰＵ部１１８は、上記した（エ）の状態を判定した場合には、ＢＴＳ１２からの周波数ｉｉの入力信号が無いとみなして、周波数ｉｉに係わる部分である可変減衰部１０５と増幅部１０６と増幅部１１５と可変減衰部１１６をオフにする制御値の信号をＤ／Ａ変換部１１９を介してこれらそれぞれの処理部へ送る。
更に、ＣＰＵ部１１８は、上記した（イ）及び（エ）の両方の状態を判定した場合には、周波数ｉ及び周波数ｉｉの両方に係わる部分である可変減衰部１０７と増幅部１０８と可変減衰部１１１と増幅部１１２をオフにする制御値の信号をＤ／Ａ変換部１１９を介してこれらそれぞれの処理部へ送ることも可能である。
なお、ＣＰＵ部１１８は、オフにする処理部以外の処理部についてはオンにしておく。
【００３７】
第２の光伝送装置２では、次のような動作が行われる。
第２の光伝送装置２では、ＢＴＳ２１からの入力電気レベルＢＢ１及びＢＴＳ２２からの入力電気レベルＢＢ２が、検波部２０１及び検波部２０４による分岐の後に電圧へ変換されてＡ／Ｄ変換部２２７に入力され、これらの入力電気レベルＢＢ１、ＢＢ２の情報がＣＰＵ部２２８に送られる。
ここで、例えば、入力電気レベルＢＢ１に対する入力電気レベル情報をＩＮＢ１とし、入力電気レベルＢＢ２に対する入力電気レベル情報をＩＮＢ２とする。
【００３８】
また、本例では、ＣＰＵ部２２８には、入力電気レベルＢＢ１に対する閾値ＴＨＢ１と、入力電気レベルＢＢ２に対する閾値ＴＨＢ２が設定されてメモリに記憶されている。
ＣＰＵ部２２８では、次の（オ）、（カ）、（キ）、（ク）の判定を行い、当該判定結果に基づく制御値をＤ／Ａ変換部２２９へ出力する。
（オ）ＩＮＢ１≧ＴＨＢ１である場合には、ＢＴＳ２１からの入力電気レベル信号が有ると判定する。
（カ）ＩＮＢ１＜ＴＨＢ１である場合には、ＢＴＳ２１からの入力電気レベル信号が無いと判定する。
（キ）ＩＮＢ２≧ＴＨＢ２である場合には、ＢＴＳ２２からの入力電気レベル信号が有ると判定する。
（ク）ＩＮＢ２＜ＴＨＢ２である場合には、ＢＴＳ２２からの入力電気レベル信号が無いと判定する。
【００３９】
本例では、ＣＰＵ部２２８は、上記した（カ）の状態を判定した場合には、ＢＴＳ２１からの周波数ｉの入力信号が無いとみなして、周波数ｉに係わる部分である可変減衰部２０２と増幅部２０３と増幅部２２３と可変減衰部２２４をオフにする制御値の信号をＤ／Ａ変換部２２９を介してこれらそれぞれの処理部へ送る。
同様に、ＣＰＵ部２２８は、上記した（ク）の状態を判定した場合には、ＢＴＳ２２からの周波数ｉｉの入力信号が無いとみなして、周波数ｉｉに係わる部分である可変減衰部２０５と増幅部２０６と増幅部２２５と可変減衰部２２６をオフにする制御値の信号をＤ／Ａ変換部２２９を介してこれらそれぞれの処理部へ送る。
更に、ＣＰＵ部２２８は、上記した（カ）及び（ク）の両方の状態を判定した場合には、周波数ｉ及び周波数ｉｉの両方に係わる部分である可変減衰部２０７と増幅部２０８と増幅部２２１と可変減衰部２２２をオフにする制御値の信号をＤ／Ａ変換部２２９を介してこれらそれぞれの処理部へ送ることも可能である。
なお、ＣＰＵ部２２８は、オフにする処理部以外の処理部についてはオンにしておく。
【００４０】
また、第２の光伝送装置２では、光ファイバ３１からの光入力レベルＯＰＤ２が、ＯＥ部２０９による光／電気変換の後に電圧へ変換されてＡ／Ｄ変換部２２７に入力され、この光入力レベルの情報（光受光レベルの情報）がＣＰＵ部２２８に送られる。
ここで、例えば、光入力レベルＯＰＤ２に対する入力電気レベル情報をＩＮＯＰＤ２とする。
【００４１】
また、本例では、ＣＰＵ部２２８には、光入力レベルＯＰＤ２に対する閾値ＴＨＯＰＤ２が設定されてメモリに記憶されている。
ＣＰＵ部２２８では、次の（ケ）、（コ）の判定を行い、当該判定結果に基づく制御値をＤ／Ａ変換部２２９へ出力する。
（ケ）ＩＮＯＰＤ２≧ＴＨＯＰＤ２である場合には、第１の光伝送装置１からの光入力レベル信号が有ると判定する。
（コ）ＩＮＯＰＤ２＜ＴＨＯＰＤ２である場合には、第１の光伝送装置１からの光入力レベル信号が無いと判定する。
【００４２】
本例では、ＣＰＵ部２２８は、上記した（コ）の状態を判定した場合には、第１の光伝送装置１からの下り光信号が無いとみなして、第１の光伝送装置１とのインタフェイスに係わる部分である可変減衰部２１０と増幅部２１１と可変減衰部２１８と増幅部２１９とＥＯ部２２０をオフにする制御値の信号をＤ／Ａ変換部２２９を介してこれらそれぞれの処理部へ送る。
なお、ＣＰＵ部２２８は、他の場合には、これらの処理部をオンにしておく。
更に、ＣＰＵ部２２８は、上記した（カ）、（ク）、（コ）の全ての状態を判定した場合には、可変減衰部２１２と増幅部２１３と可変減衰部２１６と増幅部２１７をオフにする制御値の信号をＤ／Ａ変換部２２９を介してこれらそれぞれの処理部へ送ることも可能である。
【００４３】
第３の光伝送装置３では、次のような動作が行われる。
ここで、本例では、第１の光伝送装置１及び第２の光伝送装置２のそれぞれから、光ファイバ３１、４１を通じて、ＢＴＳ１１、１２、２１、２２の接続状態（或いは、ＢＴＳからの入力信号の有無の状態）を表す情報（ＢＴＳ接続情報）が第３の光伝送装置３へ送られる場合を示す。例えば、第１の光伝送装置１や第２の光伝送装置２ではＣＰＵ部１１９、２２９による判定結果に関する情報をＢＴＳ接続情報として下り信号に含めて送信し、第３の光伝送装置３では受信した下り信号に含まれているＢＴＳ接続情報を光検波などを用いてＡ／Ｄ変換部３１５及びＣＰＵ部３１６により読み取る。
【００４４】
一例として、上記した（ア）及び（エ）の判定結果が得られたという情報が第１の光伝送装置１から送られ、上記した（カ）及び（ク）の判定結果が得られたという情報が第２の光伝送装置２から送られた場合には、ＢＴＳ１１が第１の光伝送装置１に接続している（或いは、ＢＴＳ１１からの入力信号が有る）のみとなる。この場合、第３の光伝送装置３では、ＣＰＵ部３１６によりその情報を認識したことに応じて、周波数ｉｉに係わる部分である可変減衰部３０６と増幅部３０７と可変減衰部３１０と増幅部３１１をオフにする制御値の信号をＤ／Ａ変換部３１７を介してこれらそれぞれの処理部へ送る。
【００４５】
他の一例として、上記した（イ）及び（エ）の判定結果が得られたという情報が第１の光伝送装置１から送られ、上記した（カ）及び（キ）の判定結果が得られたという情報が第２の光伝送装置２から送られた場合には、ＢＴＳ２２が第２の光伝送装置２に接続している（或いは、ＢＴＳ２２からの入力信号が有る）のみとなる。この場合、第３の光伝送装置３では、ＣＰＵ部３１６によりその情報を認識したことに応じて、周波数ｉに係わる部分である可変減衰部３０４と増幅部３０５と可変減衰部３０８と増幅部３０９をオフにする制御値の信号をＤ／Ａ変換部３１７を介してこれらそれぞれの処理部へ送る。
なお、ＣＰＵ部３１６は、オフにする処理部以外の処理部についてはオンにしておく。
【００４６】
更に、第３の光伝送装置３では、例えば、第１の光伝送装置１や第２の光伝送装置２に全くＢＴＳ１１、１２、２１、２２が接続されていない場合（上記した（イ）、（エ）、（カ）、（ク）の場合）には、ＣＰＵ部３１６によりその情報を認識したことに応じて、可変減衰部３０２と増幅部３０３と可変減衰部３１２と増幅部３１３をオフにする制御値の信号をＤ／Ａ変換部３１７を介してこれらそれぞれの処理部へ送ることも可能である。
【００４７】
ここで、本例の光伝送システムにおけるオンオフ制御の動作の一例を示す。
一例として、第１の光伝送装置１にＢＴＳ１１が接続されており、第２の光伝送装置２にＢＴＳ２２が接続されている場合には、上記した（ア）、（エ）、（カ）、（キ）の判定結果が成り立つ状態となる。この場合には、第１の光伝送装置１では、周波数ｉｉに係わる部分である可変減衰部１０５と増幅部１０６と増幅部１１５と可変減衰部１１６をオフにする制御値の信号をＣＰＵ部１１８からＤ／Ａ変換部１１９を介してこれらそれぞれの処理部へ送る。また、第２の光伝送装置２では、周波数ｉに係わる部分である可変減衰部２０２と増幅部２０３と増幅部２２３と可変減衰部２２４をオフにする制御値の信号をＣＰＵ部２２８からＤ／Ａ変換部２２９を介してこれらそれぞれの処理部へ送る。
【００４８】
以上のように、本例の光伝送システムに設けられた光伝送装置１、２では、電気信号又は光信号の入力部において電気信号の入力レベル又は光信号の入力レベルをモニタし、このようなレベルと閾値とを比較し、このようなレベルが閾値未満である場合には、その信号が使用されていないと判断して、その信号を処理する回路を自動的にオフの状態にする。
例えば、第１の光伝送装置１において、ＢＴＳ１１からの入力信号のレベルが閾値未満である場合には、自動的に、当該ＢＴＳ１１からの入力信号を処理する回路をオフにする。また、第１の光伝送装置１において、ＢＴＳ１２からの入力信号のレベルが閾値未満である場合には、自動的に、当該ＢＴＳ１２からの入力信号を処理する回路をオフにする。
【００４９】
また、第２の光伝送装置２において、ＢＴＳ２１からの入力信号のレベルが閾値未満である場合には、自動的に、当該ＢＴＳ２１からの入力信号を処理する回路をオフにする。また、第２の光伝送装置２において、ＢＴＳ２２からの入力信号のレベルが閾値未満である場合には、自動的に、当該ＢＴＳ２２からの入力信号を処理する回路をオフにする。
また、例えば、第２の光伝送装置２において、第１の光伝送装置１からの入力信号（下り光信号）のレベルが閾値未満である場合には、自動的に、当該入力信号を処理する回路をオフにする。
また、第３の光伝送装置３では、第１の光伝送装置１や第２の光伝送装置２から送られてきたＢＴＳ接続情報に基づいて、自動的に、使用されていない信号を処理する回路をオフにする。
【００５０】
このように、本例の光伝送装置１〜３では、ＢＴＳ１１、１２、２１、２２からの入力電気レベル又は他の光伝送装置からの光入力レベルなどを検知して、使用されていない周波数帯に対応した回路を自動的にオフにすることにより、例えば、余計な雑音を減らして装置の性能向上を図ることができるとともに、低消費電力化を実現することができる。また、本例では、ＢＴＳ１１、１２、２１、２２との直結が可能であり光伝送も可能な光伝送装置１、２を提供することができる。
【００５１】
なお、本例の第１の光伝送装置１では、光送信及び光受信を行う機能を有しており、ＢＴＳ１１から出力される伝送対象となる周波数ｉの電気信号を入力端５１から入力する機能により第１の入力手段が構成されており、ＢＴＳ１２から出力される伝送対象となる周波数ｉｉの電気信号を入力端５２から入力する機能により第２の入力手段が構成されており、第１の入力手段に対応した可変減衰部１０２や増幅部１０３や増幅部１１３や可変減衰部１１４（或いは、更に、周波数ｉ、ｉｉに共通な回路として、可変減衰部１０７や増幅部１０８や可変減衰部１１１や増幅部１１２）といった回路により第１の処理回路が構成されており、第２の入力手段に対応した可変減衰部１０５や増幅部１０６や増幅部１１５や可変減衰部１１６（或いは、更に、周波数ｉ、ｉｉに共通な回路として、可変減衰部１０７や増幅部１０８や可変減衰部１１１や増幅部１１２）といった回路により第２の処理回路が構成されており、第１の入力手段に対応した検波部１０１とＡ／Ｄ変換部１１７やＣＰＵ部１１８の機能により入力レベルを検出する第１の検出手段が構成されており、第２の入力手段に対応した検波部１０４とＡ／Ｄ変換部１１７やＣＰＵ部１１８の機能により入力レベルを検出する第２の検出手段が構成されており、ＣＰＵ部１１８やＤ／Ａ変換部１１９の機能により第１の処理回路や第２の処理回路をオンオフ制御する制御手段が構成されている。
【００５２】
また、本例の第２の光伝送装置２では、光送信及び光受信を行う機能を有しており、ＢＴＳ２１から出力される伝送対象となる周波数ｉの電気信号を入力端６１から入力する機能により第１の入力手段が構成されており、ＢＴＳ２２から出力される伝送対象となる周波数ｉｉの電気信号を入力端６２から入力する機能により第２の入力手段が構成されており、第１の入力手段に対応した可変減衰部２０２や増幅部２０３や増幅部２２３や可変減衰部２２４（或いは、更に、周波数ｉ、ｉｉに共通な回路として、可変減衰部２０７や増幅部２０８や増幅部２２１や可変減衰部２２２、また更に、光信号と共通な回路として、可変減衰部２１２や増幅部２１３や可変減衰部２１６や増幅部２１７）といった回路により第１の処理回路が構成されており、第２の入力手段に対応した可変減衰部２０５や増幅部２０６や増幅部２２５や可変減衰部２２６（或いは、更に、周波数ｉ、ｉｉに共通な回路として、可変減衰部２０７や増幅部２０８や増幅部２２１や可変減衰部２２２、また更に、光信号と共通な回路として、可変減衰部２１２や増幅部２１３や可変減衰部２１６や増幅部２１７）といった回路により第２の処理回路が構成されており、第１の入力手段に対応した検波部２０１とＡ／Ｄ変換部２２７やＣＰＵ部２２８の機能により入力レベルを検出する第１の検出手段が構成されており、第２の入力手段に対応した検波部２０４とＡ／Ｄ変換部２２７やＣＰＵ部２２８の機能により入力レベルを検出する第２の検出手段が構成されており、ＣＰＵ部２２８やＤ／Ａ変換部２２９の機能により第１の処理回路や第２の処理回路をオンオフ制御する制御手段が構成されている。
【００５３】
また、本例の第２の光伝送装置２では、光ファイバ３１からの光信号をＯＥ部２０９により入力する機能により第３の入力手段が構成されており、第３の入力手段に対応した可変減衰部２１０や増幅部２１１や可変減衰部２１８や増幅部２１９やＥＯ部２２０（或いは、更に、ＢＴＳ２１、２２との間で通信する信号と共通な回路として、可変減衰部２１２や増幅部２１３や可変減衰部２１６や増幅部２１７）といった回路により第３の処理回路が構成されており、第３の入力手段に対応したＯＥ部２０９とＡ／Ｄ変換部２２７やＣＰＵ部２２８の機能により光信号の入力レベルを検出する第３の検出手段が構成されており、ＣＰＵ部２２８やＤ／Ａ変換部２２９の機能により第３の処理回路をオンオフ制御する制御手段が構成されている。
【００５４】
また、本例の第３の光伝送装置３では、光送信及び光受信を行う機能を有しており、光ファイバ４１からの光信号をＯＥ部３０１により入力する機能により周波数ｉに対応した第１の入力手段及び周波数ｉｉに対応した第２の入力手段が構成されており、第１の入力手段に対応した可変減衰部３０４や増幅部３０５や可変減衰部３０８や増幅部３０９（或いは、更に、周波数ｉ、ｉｉに共通な回路として、可変減衰部３０２や増幅部３０３や可変減衰部３１２や増幅部３１３）といった回路により第１の処理回路が構成されており、第２の入力手段に対応した可変減衰部３０６や増幅部３０７や可変減衰部３１０や増幅部３１１（或いは、更に、周波数ｉ、ｉｉに共通な回路として、可変減衰部３０２や増幅部３０３や可変減衰部３１２や増幅部３１３）といった回路により第２の処理回路が構成されており、ＯＥ部３０１とＡ／Ｄ変換部３１５やＣＰＵ部３１６の機能により周波数ｉ、ｉｉのそれぞれの信号の入力の有無（本例では、他の光伝送装置１、２により検出された入力レベルに基づく判定結果のＢＴＳ接続情報）を検出する検出手段が構成されており、ＣＰＵ部３１６やＤ／Ａ変換部３１７の機能により第１の処理回路や第２の処理回路をオンオフ制御する制御手段が構成されている。
【００５５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５６】
【図１】本発明の一実施例に係る光伝送システムの構成例を示す図である。
【図２】第１の光伝送装置の構成例を示す図である。
【図３】第２の光伝送装置の構成例を示す図である。
【図４】第３の光伝送装置の構成例を示す図である。
【符号の説明】
【００５７】
１、２、３・・光伝送装置、  １１、１２、２１、２２・・ＢＴＳ、  ３１、３２、４１、４２・・光ファイバ、  ５１、５２、６１、６２、７３、７４・・入力端、  ５３、５４、６３、６４、７１、７２・・出力端、  １０１、１０４、２０１、２０４・・検波部、  １０２、１０５、１０７、１１１、１１４、１１６、２０２、２０５、２０７、２１０、２１２、２１６、２１８、２２２、２２４、２２６、３０２、３０４、３０６、３０８、３１０、３１２・・可変減衰部、  １０３、１０６、１０８、１１２、１１３、１１５、２０３、２０６、２０８、２１１、２１３、２１７、２１９、２２１、２２３、２２５、３０３、３０５、３０７、３０９、３１１、３１３・・増幅部、  １０９、２１４、２２０、３１４・・ＥＯ部、  １１０、２０９、２１５、３０１・・ＯＥ部、  １１７、２２７、３１５・・Ａ／Ｄ変換部、  １１８、２２８、３１６・・ＣＰＵ部、  １１９、２２９、３１７・・Ｄ／Ａ変換部、
【図１】
2008053932.tif 000003
【図２】
2008053932.tif 000004
【図３】
2008053932.tif 000005
【図４】
2008053932.tif 000006